(57)【要約】【課題】単層構造で製造されたビリヤード用キューは、ボールに与える変化が大きくなり易いため、ボールコントロールが難しい課題があった。【解決手段】シャフト１とバット２が互いに異なる多層構造からなり、シャフト１が、中心から周面方向へ複数層で、中心層１０が軽量部材からなり、中心層１０の外周側に強化筒部１３を設け、外周層１２が硬質部材からなり、強化筒部１３と外周層１２との間に接着性及び弾力性を有する接着性弾性部材１１を設けてなる棒状体であるとともに、バット２が、中心から周面方向へ複数層で、中心層２０及び外周層２２が硬質部材からなり、中心層２０の外周面に強化筒部２３を設け、強化筒部２３と外周層２２との間に接着性及び弾力性を有する接着性弾性部材２１を設けてなる棒状体であるビリヤード用キュースティックによる。【選択図】　図１
2004105658.tif 000002
【特許請求の範囲】
【請求項１】
シャフトとバットを接続して成るビリヤード用キュースティックにおいて、
シャフトとバットが多層構造であり、
シャフトが、中心から周面方向へ複数層で、中心層が発泡プラスチック素材等の軽量部材からなり、外周層が硬質部材からなり、中心層と外周層との間に接着性及び弾力性を有する接着性弾性部材を設けている棒状体であるとともに、
バットが、中心から周面方向へ複数層で、中心層及び外周層が硬質部材からなり、中心層と外周層との間に接着性及び弾力性を有する接着性弾性部材を設けている棒状体であることを特徴とするビリヤード用キュースティック。
【請求項２】
シャフトとバットを接続して成るビリヤード用キュースティックにおいて、
シャフトとバットが多層構造からなるとともに、シャフトの多層構造とバットの多層構造が互いに異なり、
シャフトが、中心から周面方向へ複数層で、中心層が発泡プラスチック素材等の軽量部材からなり、中心層の外周側に強化筒部を設け、外周層が硬質部材からなり、強化筒部と外周層との間に接着性及び弾力性を有する接着性弾性部材を設けて接着してなる棒状体であるとともに、
バットが、中心から周面方向へ複数層で、中心層及び外周層が硬質部材からなり、中心層の外周面に強化筒部を設け、強化筒部と外周層との間に接着性及び弾力性を有する接着性弾性部材を設けて強化筒部と外周層を接着してなる棒状体であることを特徴とするビリヤード用キュースティック。
【請求項３】
シャフトとバットを接続して成るビリヤード用キュースティックにおいて、
シャフトとバットが多層構造からなるとともに、シャフトの多層構造とバットの多層構造が互いに異なり、
シャフトが、中心から周面方向へ複数層で、中心層が発泡プラスチック素材等の軽量部材からなり、中心層の外周側に外周面に密着して被覆する強化筒部を設け、外周層が硬質部材からなり、強化筒部と外周層との間に接着性及び弾力性を有する接着性弾性部材を設けて接着してなる棒状体であるとともに、
バットが、中心から周面方向へ複数層で、中心層が木製素材又は硬質プラスチック素材である硬質部材からなり、外周層が木製素材又は硬質プラスチック素材である硬質部材からなり、中心層と外周層との間に接着性及び弾力性を有する接着性弾性部材を設けて中心層と外周層とを接着してなる棒状体であることを特徴とするビリヤード用キュースティック。
【請求項４】
外周層の硬質部材が、複数の性質の異なる木材を、長手方向、幅方向あるいは中心から外周へ多層方向に組み合わせて加工してなる棒状体から形成される硬質部材である請求項１乃至請求項３の中の１つの請求項記載のビリヤード用キュースティック。
【発明の詳細な説明】
【０００１】
【発明の属する技術分野】
この発明は、シャフトとバットを接続して成るビリヤード用キュースティック、詳細にはシャフトとバットが多層構造からなるビリヤード用キュースティックに関する。
【０００２】
【従来の技術】
ビリヤード用キュースティックは、シャフトとバットを分離可能に接続して構成されるが、シャフトとバットはともに従来、主に木製の素材を加工して形成されていた。
【０００３】
ビリヤード用キュースティックのシャフトおよびバットの外形状は、やや外表面がテーパ状の緩い傾斜の円錐台状棒状体であり、内部は単材あるいは多層構造の素材で充填されていた。
【０００４】
本願出願人は、ビリヤード用キューに関して、木製という同一の素材を多層構造にしたものを、特願平１１−２５１７９９号（先行技術１）により提案しており、また異なる素材の多層構造としては特願２０００−１０９７９号（先行技術２）として出願されている。更に、本願出願人は、特願２０００−１７３８９８号（先行技術３）により中空部を有するビリヤード用キューを提案している。
【０００５】
先行技術１によって本願出願人は、「キューのバット部および／またはシャフト部が、中芯材と、中芯材の周囲に設けられた周囲材とからなることを特徴とするビリヤード用キュー」を開示している。
【０００６】
また、先行技術２には、「ビリヤード用キューのシャフトおよび／またはバットが、異なる素材からなる多層構造を有する棒状体からなることを特徴とするビリヤード用キュー、
及び、ビリヤード用キューのシャフトおよび／またはバットが、棒中心部から外周表面層へ異なる素材からなる多層構造を有する棒状体からなることを特徴とするビリヤード用キュー、
及び、ビリヤード用キューのシャフトおよび／またはバットが、棒中心部から外周表面層へ異なる素材からなる３層構造を有する棒状体からなることを特徴とするビリヤード用キュー、
及び、ビリヤード用キューのシャフトおよび／またはバットが、棒中心部から外周表面層へ異なる素材からなる２層構造を有する棒状体からなることを特徴とするビリヤード用キュー、
及び、ビリヤード用キューのシャフトおよび／またはバットが、棒中心部から外周表面層へ異なる素材からなる多層構造を有する棒状体からなり、多層構造の中心に貫通孔を設けたビリヤード用キュー」が開示されている。
【０００７】
【発明が解決しようとする課題】
単材、あるいは単素材からなる多層構造、あるいは異なる素材からなる多層構造で製造されたビリヤード用キューを使用したとしても、初心者や初級者、中級者の場合、キューがボールの中心から少しでも外れてヒットしたときに、ボールに与える変化が大きくなり易いため、ボールコントロールが難しい課題があった。そのため、ゲームを面白く楽しむためには、多くの時間と努力を必要としていた。
【０００８】
また、先行技術３のように中空部を有するビリヤード用キューであると、ボールと突いた時の打撃音が高く、また突いたときにプレーヤーの手が感じる振動波が堅く、微妙な感触を得にくいという課題があった。
【０００９】
【課題を解決するための手段】
これらの課題を解決するために、シャフトとバットを接続して成るビリヤード用キュースティックにおいて、
シャフトとバットが多層構造であり、
シャフトが、中心から周面方向へ複数層で、中心層が発泡プラスチック素材等の軽量部材からなり、外周層が硬質部材からなり、中心層と外周層との間に接着性及び弾力性を有する接着性弾性部材を設けている棒状体であるとともに、
バットが、中心から周面方向へ複数層で、中心層及び外周層が硬質部材からなり、中心層と外周層との間に接着性及び弾力性を有する接着性弾性部材を設けている棒状体であることを特徴とするビリヤード用キュースティックを提案する。
【００１０】
また、シャフトとバットを接続して成るビリヤード用キュースティックにおいて、
シャフトとバットが多層構造からなるとともに、シャフトの多層構造とバットの多層構造が互いに異なり、
シャフトが、中心から周面方向へ複数層で、中心層が発泡プラスチック素材等の軽量部材からなり、中心層の外周側に強化筒部を設け、外周層が硬質部材からなり、強化筒部と外周層との間に接着性及び弾力性を有する接着性弾性部材を設けて接着してなる棒状体であるとともに、
バットが、中心から周面方向へ複数層で、中心層及び外周層が硬質部材からなり、中心層の外周面に強化筒部を設け、強化筒部と外周層との間に接着性及び弾力性を有する接着性弾性部材を設けて強化筒部と外周層を接着してなる棒状体であることを特徴とするビリヤード用キュースティックを提案する。
【００１１】
更に又、シャフトとバットを接続して成るビリヤード用キュースティックにおいて、
シャフトとバットが多層構造からなるとともに、シャフトの多層構造とバットの多層構造が互いに異なり、
シャフトが、中心から周面方向へ複数層で、中心層が発泡プラスチック素材等の軽量部材からなり、中心層の外周側に外周面に密着して被覆する強化筒部を設け、外周層が硬質部材からなり、強化筒部と外周層との間に接着性及び弾力性を有する接着性弾性部材を設けて接着してなる棒状体であるとともに、
バットが、中心から周面方向へ複数層で、中心層が木製素材又は硬質プラスチック素材である硬質部材からなり、外周層が木製素材又は硬質プラスチック素材である硬質部材からなり、中心層と外周層との間に接着性及び弾力性を有する接着性弾性部材を設けて中心層と外周層とを接着してなる棒状体であることを特徴とするビリヤード用キュースティックを提案する。
【００１２】
そして、外周層の硬質部材が、複数の性質の異なる木材を、長手方向、幅方向あるいは中心から外周へ多層方向に組み合わせて加工してなる棒状体から形成される硬質部材である前記した０００９欄乃至００１１欄記載のビリヤード用キュースティックを提案する。
【００１３】
【発明の実施の形態】
この発明の実施の形態を示し、ビリヤード用キュースティックのシャフトの第１実施形態の一部切欠縦断説明面である図１、同じく図１のＡＡ線断面図である図２、ビリヤード用キュースティックのバットの第１実施形態の一部切欠縦断説明面である図３、同じく図３のＢＢ線断面図である図４、ビリヤード用キュースティックのバットの第２実施形態の一部切欠縦断説明面である図５、同じく図５のＣＣ線断面図である図６、シャフトとバットを接続した状態の全体の一部切欠正面図である図７に基づいて説明する。
【００１４】
この発明の実施形態である図１乃至図７に示すビリヤード用キュースティックのシャフト１及びバット２（２ａ、２ｂ）は、それぞれ外形状が緩い傾斜のテーパー状である細長い円錐台形状棒状体であり、それぞれ中心から周面方向へ複数層からなり、複数層の間に接着性と弾性（柔軟性）を有する接着性弾性部材によって接着されてなる部分を有する多層構造である。
【００１５】
図１及び図２に示すこの発明の実施形態のビリヤード用キュースティックのシャフト１は、中心層１０が、発泡プラスチック素材、例えば発泡ウレタンフォーム素材等の軽量素材からなる。中心層１０の外周側に強化筒部１３を設け、中心層１０の外周面を被覆する。強化筒部１３は、グラスファイバー素材（ＦＲＰ素材）、又は金属製素材等の素材から成る１ｍｍ以下の厚さの薄い硬質筒状体である。外周層１２は、木製素材あるいは硬質プラスチック素材からなる硬質部材からなる。強化筒部１３の外周面と外周層１２の内周面との間には、接着性及び弾力性を有する接着性弾性部材１１を設けている。この接着性弾性部材１１は、経時とともに容易に劣化しない接着作用と半永久的な弾力性又は柔軟性を有しており、中心層１０及び強化筒部１３との間に接着作用及び緩衝作用を持つ。
【００１６】
この実施形態であるシャフト１の製造方法を説明する。外形状が細長い円錐台形状であり外周層１２となる棒状の加工木材の中心部を、ドリルマシーン等により長手方向に亘って穿孔し、細長い長孔を開ける。次に、長孔内部に接着性弾性部材１１を挿入する。接着性弾性部材１１は、流動性を有するので細長い孔に挿入可能である。
【００１７】
次に強化筒部１３となるパイプ状に加工された薄い金属製あるいはグラスファイバー製のパイプ孔に、予め中心層１０となる発泡プラスチック素材である発泡ウレタンフォーム素材等を挿入しておき、発泡プラスチック素材が挿入された強化筒部１３を接着性弾性部材１１の挿入されている外周層１２の細長い長孔に挿入する。なお、先に外周層１２の長孔に何も挿入していない強化筒部１３を挿入しておき、後から強化筒部１３のパイプ孔に発泡プラスチック素材である発泡ウレタンフォーム素材等を挿入して中心層１０を形成してもよい。
【００１８】
これによりシャフト１は、中心層１０として発泡プラスチック素材である発泡ウレタンフォーム素材等からなる軽量部材が配設され、その外周側にはパイプ状に加工された金属製あるいはグラスファイバー素材からなる強化筒部１３が配設され、外周層１２には木製素材又は硬質プラスチック素材から成る硬質部材が配設され、強化筒部１３と外周層１２の間には、経時とともに固化せず半永久的な弾性、柔軟性を有する接着性弾性部材１１が配設される。
【００１９】
なお、ビリヤード用キュースティックのシャフト１の先端部には、タップ１４とフェラル（先角）１５が設けられ、バット２との接続部である後端部にはジョイント部１６が設けられ雌ねじが形成される。
【００２０】
図３及び図４に示すこの発明のビリヤード用キュースティックの第１実施形態のバット２は、中心から周面方向へ複数層で、中心層２０及び外周層２２が硬質部材からなり、中心層２０の外周側に強化筒部２３を設け、強化筒部２３と外周層２２との間に接着性及び弾力性を有する接着性弾性部材２１を設けて強化筒部２３と外周層２２を接着してなる棒状体である。
【００２１】
この実施形態では中心層２０は、木製素材又は硬質プラスチック素材からなる硬質部材から形成される。外周層２２は、木製素材又は硬質プラスチック素材からなる硬質部材から形成される。強化筒部２３は、グラスファイバー素材（ＦＲＰ素材）、又は金属製素材等の素材から成る１ｍｍ以下の厚さの薄い硬質筒状体である。強化筒部２３の外周面と外周層２２の内周面との間には、接着性及び弾力性を有する接着性弾性部材２１を設けており、この経時とともに容易に劣化しない接着作用と半永久的な弾力性又は柔軟性を有する接着性弾性部材２１により強化筒部２３と外周層２２との間に接着作用及び緩衝作用を持つ。
【００２２】
図５及び図６に示すバット２ｂの第２実施形態は、強化筒部２３を設けてないという以外は第１形態のシャフト２ａと同様の素材、構成から成る。強化筒部２３を設けていないため、中心層２０の外周面と外周層２２の内周面との間に接着性及び弾力性を有する接着性弾性部材２１を設けて直接中心層２０と外周層２２を接着している。
【００２３】
ビリヤード用キュースティックのバット２（２ａ、２ｂ）の製造方法を説明する。外周層２２を形成する硬質部材は、この実施形態では複数の性質の異なる木材、例えば堅い、柔らかい、強い、弱い、重い、軽い等の性質の異なる複数の木材を、長手方向、幅方向あるいは中心から外周へ多層方向に組み合わせて加工して棒状体を形成する。その棒状体は、外形状がシャフト１より太くシャフト１のジョイント部１６に接続し連続する細長い円錐台形状である。そして棒状体の中心部を、ボーリングマシーン等により長手方向に亘って穿孔し、細長い長孔を開ける。次に、長孔内部に接着性弾性部材２１を挿入する。接着性弾性部材２１は、流動性を有するので細長い孔に挿入可能である。他の実施形態として、外周層２２を形成する硬質部材を、単層の木製素材あるいは硬質プラスチック素材を加工して棒状体を形成してもよい。
【００２４】
次に強化筒部２３となるパイプ状に加工された薄い金属製あるいはグラスファイバー製のパイプ孔に、予め中心層２０となる木製素材又は硬質プラスチック素材からなる硬質部材を挿入しておき、硬質部材が挿入された強化筒部２３を接着性弾性部材２１の挿入されている外周層２２の細長い長孔に挿入する。なお、先に外周層２２の長孔に何も挿入していない強化筒部２３を挿入しておき、後から強化筒部２３のパイプ孔に木製素材又は硬質プラスチック素材からなる硬質部材を挿入して中心層２０を形成してもよい。
【００２５】
これにより第１実施形態のバット２ａは、中心層２０には、木製素材又は硬質プラスチック素材からなる硬質部材が配設され、中心層２０の外周側にはパイプ状に加工された金属製あるいはグラスファイバー素材からなる強化筒部２３が配設され、外周層２２には木製素材又は硬質プラスチック素材からなる硬質部材が配設され、強化筒部２３と外周層２２の間には、経時とともに固化せず半永久的な弾性、柔軟性を有する接着性弾性部材２１が配設される。
【００２６】
第２実施形態であるバット２ｂでは、第１実施形態から強化筒部２３を除いた構成であり、外周層２２の長孔に流動性のある接着性弾性部材２１を挿入後、中心層２０となる木製素材又は硬質プラスチック素材からなる硬質部材を直接外周層２２の長孔に挿入して製造する。これにより第２実施形態のバット２ｂは、中心層２０には、木製素材又は硬質プラスチック素材からなる硬質部材が配設され、中心層２０と外周層２２の間には、経時とともに固化せず半永久的な弾性、柔軟性を有する接着性弾性部材２１が配設され、外周側には木製素材又は硬質プラスチック素材からなる硬質部材からなる外周層２２が配設される。
【００２７】
ビリヤード用キュースティックのバット２ａ、２ｂは、先端部には、ジョイント部２４である雄ねじが形成され、雄ねじは、中心層２０の硬質部材に固定されている。バット２ａ、２ｂのジョイント部２４は、シャフト１のジョイント部１６と接続する。またバット２ａ、２ｂの後端部は尻輪２５、尻ゴム２６が設けられている。又、２７はグリップであり、外周層２２の表面に糸、皮、ゴム等を巻き滑らなくしている。
【００２８】
このようにして形成されるビリヤード用キュースティックのシャフト１とバット２（２ａ、２ｂ）は、互いのジョイント部１６の雌ねじとジョイント部２４の雄ねじを螺合させて接続し、図７に示すような一本のビリヤード用キュースティックを形成する。
【００２９】
【発明の効果】
この発明のビリヤード用キュースティックによれば、シャフトの中心層を形成する発泡プラスチック等から成る軽量部材と、バット部の中心層を形成する硬質部材の相互作用、及び複数層の間に経時とともに固化せず半永久的な弾力性、柔軟性を有する接着性弾性部材が配設されているため、ボールを突いたときの時点で発生する打球感の相違を、非常に容易に誰でもが感じ取ることが可能になった。
【００３０】
一般的にビリヤード用キュースティックでボールを突き、ボールの前進時に左右のスピンを掛ける場合、ボールに左右のズレが生じる。しかし、この発明のビリヤード用キュースティックによれば、ボールを突いたとき、ボールに生じる左右のズレを従来に比べ非常に小さくすることができるため、安定したラインを描くことが可能になった。
【００３１】
この発明のビリヤード用キュースティックによれば、ボールを突いたときに、従来のビリヤード用キュースティックより反発性が高く、ボールに大きなエネルギーを与えることができる。したがって、小さなストロークで同じエネルギーをボールに与えることができるため、正確にボールの打点を狙うことができ、ボールコントロールが容易になった。そのため初級者や中級者の技術の習得性が高く、上達が早くなり、ゲームの楽しみがより向上する効果がある。
【００３２】
また、シャフトの中心層を中空とせずに発泡プラスチック等から成る軽量部材を充填したため、ボールを突いたときの打撃音が低くなるという消音効果を有する。その打撃音の低下により、プレーヤーの手に伝わる微妙な振動の感触が向上し、プレーの向上に寄与する効果がある。
【００３３】
更にまた、グラスファイバー素材等から成る強化筒部を、シャフトとバットに設けたことにより、キュースティック全体の強度が向上し、折れや傷みに対して従来より強化されたという効果を有する。
【図面の簡単な説明】
【図１】この発明のビリヤード用キュースティックのシャフトの第１実施形態を示す一部切欠縦断説明面
【図２】同じく図１のＡＡ線断面説明図
【図３】この発明のビリヤード用キュースティックのバットの実施形態を示す一部切欠縦断説明面
【図４】同じく図３のＢＢ線断面説明図
【図５】この発明のビリヤード用キュースティックのシャフトの第２実施形態を示す一部切欠縦断説明面
【図６】同じく図５のＣＣ線断面説明図
【図７】この発明の実施形態のビリヤード用キュースティックシャフトとバットを接続した状態の一部切欠全体正面図
【符号の説明】
１　シャフト
１０　中心層（発泡プラスチック素材等から成る軽量部材）
１１　接着性弾性部材
１２　外周層（木製素材等から成る硬質部材）
１３　強化筒部（グラスファイバー素材）
１４　タップ
１５　フェラル（先角）
１６　ジョイント部（雌ねじ）
２（２ａ、２ｂ）　バット
２０　中心層（木製素材等から成る硬質部材）
２１　接着性弾性部材
２２　外周層（木製素材等から成る硬質部材）
２３　強化筒部（グラスファイバー素材）（第１実施形態）
２４　ジョイント部（雄ねじ）
２５　尻輪
２６　尻ゴム
２７　グリップ
【図１】
2004105658.tif 000003
【図２】
2004105658.tif 000004
【図３】
2004105658.tif 000005
【図４】
2004105658.tif 000006
【図５】
2004105658.tif 000007
【図６】
2004105658.tif 000008
【図７】
2004105658.tif 000009